(57)【要約】【課題】従来の清掃材ホールダーは、小突起の多数を下面に設けた長方形の台板の中央上方に、十字型に配置した二つの軸を介して前後左右に曲げることができるようにして柄取付片を取り付けたものである。小突起群で清掃材を保持し清掃していく。構造が複雑で高価である。本発明が解決しようとする課題は、構造が簡単で安価に製作できる清掃材ホルダーを提供する点にある。【解決手段】柄取付部材１は、パイプを水平に配置した軸部２と軸部２の中央から上方へ設けた柄取付部３とからなっている。清掃材取付部材５には穴６を水平に設け、穴６に軸部２をはめた状態にして柄取付部材１に左右の清掃材取付部材５を取り付ける。清掃材取付部材５の下面に底板７を取り付け、底板７の下面に多数の小突起を設けている。【選択図】図１
2005329196.tif 000002
【特許請求の範囲】
【請求項１】
柄取付部材（１）と清掃材取付部材（５）とを備え、柄取付部材（１）は円柱状のものを寝せて配置した軸部（２）と軸部（２）の中央から上方へ設けた柄取付部（３）とからなるものとして、清掃材取付部材（５）には柄取付部材（１）の軸部（２）がちょうどはまる穴（６）を水平に設け、穴（６）に軸部（２）をはめた状態にして柄取付部材（１）に左右の清掃材取付部材（５）を取り付けた清掃材ホールダー。
【請求項２】
軸部（２）を多角柱状のものとしたことを特徴とする、請求項１記載の清掃材ホールダー。
【請求項３】
軸部（２）の外端部との間に設けた連結手段を介して軸部（２）の延長上において軸部（２）と同軸に連結軸（９）を取り付け、連結軸（９）に清掃材取付部材（５）を取り付けるようにしたことを特徴とする、請求項１又は２記載の清掃材ホールダー。
【請求項４】
清掃材取付部材（５）の下面に底板（７）を取り付けたことを特徴とする、請求項１又は２又は３記載の清掃材ホールダー。
【発明の詳細な説明】
【技術分野】
【０００１】  本発明は、パッド状ナイロン製たわし等の清掃材を取り付けるようにした清掃材ホールダーに関するものである。
【背景技術】
【０００２】  パッド状ナイロン製たわし等の清掃材を下面に取り付けるようにした清掃材ホールダーとしては、例えば次のようなものが市販され、広く普及している。すなわち、プラスチック製であって、下端に引っ掛りのある小突起の多数を下面に設けた長方形の台板の中央上方に、十字型に配置した二つの軸を介して前後左右に曲げることができるようにして柄取付片を取り付けたものである。【０００３】  この従来の清掃材ホールダーは、次のようにして使用する。棒状の柄の先端を柄取付片に取り付け、ナイロン製たわし等の清掃材を床面等に置いて台板下面の小突起群を押し付ける。それから柄を持って清掃していくと、台板が自由に最適角度に角度を変えながら清掃を続けていくことができる。なお、下面に多数の小突起を設けず、清掃材を下面に接着させたものも市販されている。
【発明の開示】
【発明が解決しようとする課題】
【０００４】  前記従来のものは、二つの軸を用いてあらゆる方向を向くことができるようにして便利ではあるが、次のような欠点を持っている。二つの軸を十字に配置して台板に対し柄取付片を前後左右に曲げることができる機構を採用しているが、その機構は複雑であるばかりでなく、軸取付部は強度的に弱いといった問題もある。そして、台板が自由に角度を変えながら清掃していくとき、状況によって軸取付部に局所的に過度の荷重が掛ってしまい、最後には破損してしまうこともある。破損すると全部を取り換えなければならず、これでは大変不経済である。また、従来のものは柄を取り付けて使用するもの専用である。清掃中に柄を持っての清掃がしにくい個所に差し掛かると、別に購入しておいた手拭式を取り出して使用するしかない。これでは大変不便である。柄式と手拭式とを兼用できるものがあれば便利である。【０００５】  本発明が解決しようとする課題は、構造が簡単で安価に製作できる清掃材ホルダーを提供する点にある。また、破損しにくい清掃材ホールダーを提供する点にある。また、破損した場合は破損した部材だけを取り替えれば済むようにした清掃材ホールダーを提供する点にある。また、柄を取り外せば手拭式とすることのできる清掃材ホールダーを提供する点にある。
【課題を解決するための手段】
【０００６】  請求項１に係る清掃材ホールダーは、柄取付部材１と清掃材取付部材５とを備え、柄取付部材１は円柱状のものを寝せて配置した軸部２と軸部２の中央から上方へ設けた柄取付部３とからなるものとして、清掃材取付部材５には柄取付部材１の軸部２がちょうどはまる穴６を水平に設け、穴６に軸部２をはめた状態にして柄取付部材１に左右の清掃材取付部材５を取り付けたものである。清掃材取付部材５の下面に多数の小突起を設け、パッド状ナイロン製たわし等の清掃材を小突起群で保持して清掃をする。または、清掃材取付部材５の下面に清掃材を接着等して直接取り付け、そのまま清掃するようにしてもよい。または、清掃材取付部材５の外周に清掃材を巻いた状態にして取り付け、清掃をするようにしてもよい。清掃材取付部材５は断面方形・円形・楕円形・三角形等のものとしてもよいし、板状又は左右方向に見て中くびれの繭形としてもよい。【０００７】  このものは次のようにして使用する。まず、棒状の柄の下端を柄取付部材１の柄取付部３に取り付ける。継手を使用する場合は、柄の先端に継手を取り付け継手を柄取付部３に取り付ける。そして、多数の小突起を清掃材取付部材５の下面に設けているものにおいては、柄を持って床面等に置いたパッド状ナイロン製たわし等の清掃材に小突起群を押し付ける。小突起群が清掃材に刺さって清掃材を保持する。この状態で床面等の清掃をする。清掃材取付部材５の下面に清掃材を接着等したものや清掃材取付部材５の外周に清掃材を取り付けたものにおいては、柄を持ってそのまま清掃をする。本体に対し柄は左右方向には曲げることができず前後方向にしか曲げることはできないが、これでも効率的な清掃を続けることができる。【０００８】  請求項２に係るものは、請求項１記載のものにおいて、軸部２を多角柱状のものとしたことを特徴とするものである。多角柱状とは１２角柱状・８角柱状等を意味する。そして、請求項１に係るものにおいては、清掃中に軸部２が回転し易く、凹凸のある床面等に対し接床圧力が不安定になることがある。請求項２に係るものにおいては、軸部２がややきつめに回転するように製作しておけば、清掃中にむやみに回転するようなことはない。【０００９】  請求項３に係るものは、請求項１又は２記載のものにおいて、軸部２の外端部との間に設けた連結手段を介して軸部２の延長上において軸部２と同軸に連結軸９を取り付け、連結軸９に清掃材取付部材５を取り付けるようにしたことを特徴とするものである。連結軸９の連結の仕方は、ねじ込み式・はめ込み式等任意のやり方が可能である。【００１０】  請求項４に係るものは、請求項１又は２又は３記載のものにおいて、清掃材取付部材５の下面に底板７を取り付けたことを特徴とするものである。底板７の下面に多数の小突起を設け小突起群で清掃材を保持するようにしたり、底板７の下面に清掃材を取り付けたりする。【００１１】  請求項１〜４に係るものにおいては、柄取付部材１の柄取付部３に棒状の柄を取り付けて使用することもできるが、柄を取り付けずに柄取付部３を水平に寝せたりして手拭式として使用することもできる。これらのものは単に柄取付部材１・清掃材取付部材５・連結軸９・底板７のうちの２部材、３部材又は４部材とからなり、各部材はそれぞれ構造が簡単で全体としても同様である。そして、このものは二つの軸を使用する従来のものに比べ破損しにくい。柄取付部材１の軸部２は円柱状又は多角柱状のものであって接触面積が広いため、荷重が分散し局所的に集中することが少ないからである。どの部材かが万一破損しても、破損した部材だけを取り替えれば済む。
【発明の効果】
【００１２】  本発明に係る清掃材ホールダーは、柄取付部材１・清掃材取付部材５・連結軸９・底板７のうちの２部材、３部材又は４部材からなり、それら各部材は構造が簡単で、それらを組み合せたものも構造が簡単である。また、破損した場合は破損した部材だけを取り替えれば済む。また、破損もしにくい。また、柄取付片４の柄取付部６に棒状の柄の先端を取り付けて使用することもできるし、柄を取り付けずに柄取付部６を水平に寝せたりして手拭式として使用することもできる。請求項２に係るものにおいては、清掃中に清掃材取付部材５がむやみに回転することがなく安定した作業を続けることができる。請求項３に係るものにおいては、長いものとして使用すると便利な場合に有用である。
【発明を実施するための最良の形態】
【００１３】  本発明を実施するための最良の形態を図１及び図２に基づいて説明する。図１は分解斜視図、図２は図１に示したものの組立図であり、１は柄取付部材を示している。柄取付部材１は、円筒を水平に配置して構成した軸部２と軸部２の中央から上方へ伸びた円筒状の柄取付部３とからなるものとしている。軸部２の両端の内面には雌ねじ４を形成している。別体の清掃材取付部材５を二つ用意している。清掃材取付部材５は立方体の形状とし、柄取付部材１の軸部２がちょうどはまる穴６を貫通させて水平に設けている。そして、清掃材取付部材５は、軸部２を穴６にはめたとき軸部２の端が清掃材取付部材５の側面に達する幅のものとしている。清掃材取付部材５の下面には清掃材取付部材５よりやや大きな方形の底板７を取り付けている。底板７の下面には、下端に引っ掛りのある多数の小突起を設けている。または、底板７の下面にナイロン製たわし等の清掃材を接着等して取り付けている。そして、軸部２の雌ねじ４にねじ込むことのできる雄ねじを設けて清掃材取付部材５の穴６よりやや大きな外径とした止め具８を二つ用意している。【００１４】  以上の清掃材ホールダーは、次のように組み立てる。柄取付部材１の両軸部２を左右の清掃材取付部材５の穴６に通した状態にする。そして、両軸部２の雌ねじ４に止め具８をねじ込むと組み立てが完了し、図２に示す状態になる。図２に示したものは、次のようにして使用する。まず、棒状の柄の先端を柄取付部材１の柄取付部３の挿入穴に挿入して取り付ける。継手を使用する場合は、柄の先端に継手を取り付け継手を挿入穴に挿入する。そして、パッド状ナイロン製たわし等の清掃材を床面等に置いて底板７の下面の多数の小突起を押し付ける。それから柄を持って清掃していく。底板７に清掃材を取り付けている場合は、そのまま柄を持って清掃していく。柄は前後方向に自由に角度を変えながら、清掃を続ける。左右には曲げることができず、前後方向にしか曲げることができないが、これでも十分に清掃をすることができる。また、柄を取り付けずに手拭式として使用することもできる。柄取付部材１の柄取付部３を清掃材取付部材５から突出する長さに形成した場合は、柄取付部３を寝せて同じく手拭式として使用することができる。【００１５】  なお、図１・２に示したものにおいて、底板７を使用せず清掃材取付部材５の下面に多数の小突起を設け、小突起群で清掃材を保持するようにしてもよい。または、清掃材取付部材５の下面に清掃材を接着等して取り付けるようにしてもよい。または、清掃材の中央に穴をあけその穴に清掃材取付部材５を通した状態、すなわち清掃材取付部材５の外周に清掃材を取り付けた状態にしてもよい。清掃を続け清掃材が擦り減ったりして使用しにくくなったら、清掃材を適当量だけ回転させ新しい部分で清掃を続けることができる。
【実施例１】
【００１６】  実施例１を図３に基づいて説明する。柄取付部材１の両軸部２に清掃材取付部材５をそれぞれ取り付けたところまでは図１・２のものと同じである。そして、底板７は一枚の広いものを用い、両清掃材取付部材５の下面に架け渡してねじ等で取り付けている。この状態で図２に示したものと同様のやり方で使用する。【００１７】  このものは、図３に示すように長いものとすることもできる。すなわち、別体の連結軸９を用意している。連結軸９は柄取付部材１の軸部２の外径と同じ外径とし清掃材取付部材５の幅と一致する長さのものとし、回転部２の雌ねじ４にねじ込むことのできる雄ねじ１０を一端に突出させて設けている。他端側内面には、柄取付部材１の軸部２の雌ねじ４と同形の雌ねじ１１を設けている。柄取付部材１の軸部２の雌ねじ４に連結軸９の雄ねじ１０をねじ込んで軸部２に連結軸９を連結し、連結軸９に清掃材取付部材５を取り付けると、長いものとなる。清掃材取付部材５を左右に取り付けてもよいし、必要に応じ更に長く連結していってもよい。
【実施例２】
【００１８】  実施例２を図４及び図５に基づいて説明する。柄取付部材１は図１に示したものとほぼ同じ形状・構造のものとしている。そして、長方形の台板１２と台板１２の中央に取り付ける長方形の中央板１３とを用意している。中央板１３には、台板１２がちょうどはまるスリットを水平にあけ、そのスリットに台板１２を通した状態にして台板１２の中央に中央板１３を取り付けている。中央板１３の外周には清掃材１４を取り付けているが、清掃材１４の詳細については後で説明する。中央板１３と同じ断面形状とした方形の左右の清掃材取付部材５を用意している。左右の清掃材取付部材５は左右対称のものとしている。左右の清掃材取付部材５の各内側縁に沿ってドーナッツ状の保持片１５を立てて取り付けている。保持片１５の中央の穴６は柄取付部材１の軸部２がちょうどはまる大きさのものとしている。保持片１５を取り付けた部分を除き清掃材取付部材５の外周に清掃材１４を巻いて取り付けている。【００１９】  清掃材１４として、ナイロンなどを素材とした研磨用メッシュシートを使用している。１〜２ミリ間隔の網目を有し厚さ１ミリ位の薄いシートに無数の微細研磨砥粒を接着させたものである。サンドペーパーのような高い研磨能力を有しながら、有効なホールダーがないためこれまで清掃材としてほとんど利用されていない。実施例２のもののようにすると有効活用が図れる。【００２０】  図４に示したものは次のようにして組み立てる。一方の清掃材取付部材５のスリットに台板１２をはめ、柄取付部材１の一方の軸部２を保持片１５の穴６にはめた状態にする。つぎに、他方の清掃材取付部材５を台板１２の他方に取り付け、他方の軸部２を他方の清掃材取付部材５の保持片１５の穴６にはめた状態にすると、組立てが完了し図５に示す状態になる。組立て状態をしっかり維持できるようにするには、例えば清掃材取付部材５から台板１２へとねじをねじ込んだりピンを差し込んだりすればよい。両者に凹凸を設け、組立て時に凹凸がはまり合うようにしてもよい。【００２１】  清掃を続け清掃材１４が機能を落してきたら、清掃材１４を回して未使用部分を下にする。全面が使えなくなったら、反転させ内側面を同様にして使用する。清掃材１４としてはパッド状ナイロン製たわし・雑巾・不織布などを使用してもよい。中央板１３及び清掃材取付部材５の下面において清掃材１４との間に薄い板状のスポンジを介在させてもよい。
【図面の簡単な説明】
【００２２】
【図１】本発明を実施するための最良の形態を示す分解斜視図である。
【図２】図１に示したものを組み立てた状態を示す斜視図である。
【図３】実施例１を示す分解斜視図である。
【図４】実施例２を示す分解斜視図である。
【図５】図４に示したものを組み立てた状態を示す斜視図である。
【符号の説明】
【００２３】１  柄取付部材    ２  軸部    ３  柄取付部    ５  清掃材取付部材
６  穴            ７  底板    ９  連結軸
【図１】
2005329196.tif 000003
【図２】
2005329196.tif 000004
【図３】
2005329196.tif 000005
【図４】
2005329196.tif 000006
【図５】
2005329196.tif 000007